(57)【特許請求の範囲】
【請求項１】
音データが示す音を出力する音出力装置に当該音データを配信するコンテンツ配信サーバ装置であって、
前記音データには、当該音データの少なくとも一部の音質を劣化させるための品質劣化プログラムと、第１ノイズ音を示す第１ノイズ音データと、前記第１ノイズ音の位相を反転した第２ノイズ音を示す第２ノイズ音データと、が付加されており、
前記音データを記憶するコンテンツ記憶手段と、
前記記憶された音データを、通信手段を介して前記音出力装置に配信するコンテンツ配信手段と、を備え、
前記配信された音データは、前記音出力装置の記憶手段に記憶され、
前記記憶手段に記憶された音データに付加された品質劣化プログラムは、前記音出力装置により起動され、当該音データが示す音と、当該音データに付加された第１ノイズ音データが示す第１ノイズ音と、を同時に出力する劣化提示手段として前記音出力装置を機能させるものであり、
前記音データの音質の劣化を低減させるための品質劣化低減データが前記音出力装置により取得された場合には、前記品質劣化プログラムは、当該音データが示す音と、当該音データに付加された第１ノイズ音データが示す第１ノイズ音と、当該音データに付加された第２ノイズ音データが示す第２ノイズ音と、を同時に出力する前記劣化提示手段として前記音出力装置を機能させることを特徴とするコンテンツ配信サーバ装置。
【請求項２】
請求項１に記載のコンテンツ配信サーバ装置において、
前記コンテンツ記憶手段に記憶された音データの内、他の前記音データと一括して販売される音データは、単独で販売される音データよりも前記音質の劣化の程度が低い音データであり、
前記コンテンツ配信手段は、前記一括して販売される音データを複数一括して前記音出力装置に配信することを特徴とするコンテンツ配信サーバ装置。
【請求項３】
請求項１に記載の品質劣化低減データを配信するサーバ装置であって、
前記品質劣化低減データを、前記通信手段を介して前記音出力装置に配信する品質劣化低減データ配信手段を備えることを特徴とするサーバ装置。
【請求項４】
請求項１に記載の音出力装置であって、
前記配信された音データを取得する取得手段と、
前記取得された音データを記憶する前記記憶手段と、
前記劣化低減データを、前記通信手段を介してサーバ装置から取得する劣化低減データ取得手段と、
前記劣化提示手段と、
を備えることを特徴とする音出力装置。
【請求項５】
音データが示す音を出力する音出力装置に当該音データを配信するコンテンツ配信方法であって、
前記音データには、当該音データの少なくとも一部の音質を劣化させるための品質劣化プログラムと、第１ノイズ音を示す第１ノイズ音データと、前記第１ノイズ音の位相を反転した第２ノイズ音を示す第２ノイズ音データと、が付加されており、
前記音データを記憶するコンテンツ記憶工程と、
前記記憶された音データを、通信手段を介して前記音出力装置に配信するコンテンツ配信工程と、を含み、
前記配信された音データは、前記音出力装置の記憶手段に記憶され、
前記記憶手段に記憶された音データに付加された品質劣化プログラムは、前記音出力装置により起動され、当該音データが示す音と、当該音データに付加された第１ノイズ音データが示す第１ノイズ音と、を同時に出力する劣化提示手段として前記音出力装置を機能させるものであり、
前記音データの音質の劣化を低減させるための品質劣化低減データが前記音出力装置により取得された場合には、前記品質劣化プログラムは、当該音データが示す音と、当該音データに付加された第１ノイズ音データが示す第１ノイズ音と、当該音データに付加された第２ノイズ音データが示す第２ノイズ音と、を同時に出力する前記劣化提示手段として前記音出力装置を機能させることを特徴とするコンテンツ配信方法。
【請求項６】
音データが示す音を出力する音出力装置に当該音データを配信するコンテンツ配信サーバ装置であって、前記音データの少なくとも一部の音質を劣化させるための品質劣化プログラムと、第１ノイズ音を示す第１ノイズ音データと、前記第１ノイズ音の位相を反転した第２ノイズ音を示す第２ノイズ音データと、が付加されている音データを配信するコンテンツ配信サーバ装置に含まれるコンピュータを、
前記音データを記憶するコンテンツ記憶手段、
前記記憶された音データを、通信手段を介して前記音出力装置に配信するコンテンツ配信手段、として機能させ、
前記配信された音データは、前記音出力装置の記憶手段に記憶され、
前記記憶手段に記憶された音データに付加された品質劣化プログラムは、前記音出力装置により起動され、当該音データが示す音と、当該音データに付加された第１ノイズ音データが示す第１ノイズ音と、を同時に出力する劣化提示手段として前記音出力装置を機能させるものであり、
前記音データの音質の劣化を低減させるための品質劣化低減データが前記音出力装置により取得された場合には、前記品質劣化プログラムは、当該音データが示す音と、当該音データに付加された第１ノイズ音データが示す第１ノイズ音と、当該音データに付加された第２ノイズ音データが示す第２ノイズ音と、を同時に出力する前記劣化提示手段として前記音出力装置を機能させることを特徴とするコンテンツ配信処理プログラム。
【発明の詳細な説明】
【技術分野】
【０００１】
本発明は、コンテンツデータをユーザに提示するコンテンツ提示装置に当該コンテンツデータを配信するコンテンツ配信サーバ装置及びコンテンツ配信方法等の技術分野に関する。
【背景技術】
【０００２】
従来から、情報通信手段の発達により、文字、音楽、画像等の情報による創作物が、例えば、インターネット等のネットワーク上におけるＷｅｂサーバ等からパーソナルコンピュータや携帯電話機等の端末装置に対するデジタルコンテンツの配信等といった形態で直接取引きされるようになっており、これにより、ユーザは、端末装置でデジタルコンテンツを視聴等することができるようになっている。
【０００３】
近年では、著作権保護等の観点から、例えば、特許文献１及び２に開示されているように、デジタルコンテンツを暗号化等して端末装置に配信し、端末装置側においては、コンテンツ配信者等とコンテンツ視聴等に関する契約をした場合のみユーザによる視聴等が可能となるよう、その暗号化等を解除してユーザに提示（例えば、例えば、画面表示や音声再生等））する方法が一般的に用いられている。
【０００４】
一方、上述したような創作物は、書籍、レコード、ＣＤ（Compact Disk）、ビデオテープ、ＤＶＤ（Digital Versatile Disc）等といった物品に印刷や記録等され、これらの物品の所有権が移転等されることによっても流通している。
【０００５】
これらの物品は、先ず、一次流通品として、製作者等から消費者の手に渡り、その一部は、後に二次流通品として、特定の流通業者を経る等して他の消費者に手に渡るようになっている。二次流通品は中古品などと呼ばれることもあり、一次流通品よりも一般的に価格が低いこと等の理由から、近年における不況やネットオークションの普及等とも相まって、そのニーズが増大している。特に、シリーズものの小説や、複数の楽曲が記録されたＣＤアルバム等、複数の創作物をまとめて入手したいような場合には、一次流通品との価格差が拡大することから、二次流通品に対するニーズはより強くなるものと考えられる。
【０００６】
ネットワーク上におけるデジタルコンテンツの直接取引においても、転売や再販売等といったデジタルコンテンツの二次流通を視野に入れた技術が模索され始めている。
【０００７】
例えば、引用文献３には、コンテンツ販売者の許諾する販売条件内でコンテンツを再販するための再販端末において、著作権保護管理端末からカプセル化の許諾があり、且つコンテンツ販売端末から再販の許諾があった場合に、指定されたコンテンツに新たな販売条件等を付して再カプセル化した上で、コンテンツの利用端末に転送するコンテンツ配信方法に係る発明が開示されている。
【０００８】
また、引用文献４には、コンテンツに対するアクセス権が転売され、アクセス権を有するコンピュータに対してのみコンテンツが提供される権利転売システムに係る発明が開示されている。
【０００９】
また、引用文献５には、購入を希望するユーザの端末Ａから送信された当該コンテンツの情報及び購入属性情報をサーバが受信すると、当該サーバが、再販許可された端末Ｂを検索し、購入属性情報を端末Ｂに送信することにより、端末Ｂから端末Ａにコンテンツを送信するコンテンツ再販方法に係る発明が開示されている。
【特許文献１】特開平７−２３１４４０号公報
【特許文献２】特開２００３−１４３５７２号公報
【特許文献３】特開２００３−２５６５９７号公報
【特許文献４】特開２００１−３２５４６１号公報
【特許文献５】特開２００６−０３９８３２号公報
【発明の開示】
【発明が解決しようとする課題】
【００１０】
しかしながら、上述した従来の技術では、デジタルコンテンツをユーザに提示するか提示しないかという二通りの提示態様しかないため、ユーザに対して、デジタルコンテンツを視聴しないか、または、料金を支払ってデジタルコンテンツを視聴するか、という二者択一を迫ることとなる。従って、ユーザは、せいぜい、その宣伝広告やダイジェスト版等のコンテンツデータの一部のみの視聴等でデジタルコンテンツの購入を判断せざるを得なくなり、その内容を十分に吟味する機会を得ぬまま、それを購入するしかなかった。
【００１１】
また、デジタルコンテンツに対しては、新品や中古品という概念が存在しないため、一次流通するコンテンツと二次流通するコンテンツとの間で販売価格に差を設けるというインセンティブが働きにくい。従って、デジタルコンテンツの製作者や販売者等は、二次流通を防止して、一次流通で利益を得れば良いと考える傾向が強くなり、ネットワーク上におけるデジタルコンテンツの転売等が有効に行われることはなかった。
【００１２】
本発明は、以上の点に鑑みてなされたものであり、従来では困難であった形態によるコンテンツデータの売買を有効に行うことができるコンテンツ配信サーバ装置及びコンテンツ配信方法等を提供することを目的とする。
【課題を解決するための手段】
【００１３】
上記課題を解決するために、請求項１に記載の発明は、音データが示す音を出力する音出力装置に当該音データを配信するコンテンツ配信サーバ装置であって、前記音データには、当該音データの少なくとも一部の音質を劣化させるための品質劣化プログラムと、第１ノイズ音を示す第１ノイズ音データと、前記第１ノイズ音の位相を反転した第２ノイズ音を示す第２ノイズ音データと、が付加されており、前記音データを記憶するコンテンツ記憶手段と、前記記憶された音データを、通信手段を介して前記音出力装置に配信するコンテンツ配信手段と、を備え、前記配信された音データは、前記音出力装置の記憶手段に記憶され、前記記憶手段に記憶された音データに付加された品質劣化プログラムは、前記音出力装置により起動され、当該音データが示す音と、当該音データに付加された第１ノイズ音データが示す第１ノイズ音と、を同時に出力する劣化提示手段として前記音出力装置を機能させるものであり、前記音データの音質の劣化を低減させるための品質劣化低減データが前記音出力装置により取得された場合には、前記品質劣化プログラムは、当該音データが示す音と、当該音データに付加された第１ノイズ音データが示す第１ノイズ音と、当該音データに付加された第２ノイズ音データが示す第２ノイズ音と、を同時に出力する前記劣化提示手段として前記音出力装置を機能させることを特徴とする。
【００１４】
この発明によれば、配信された音データが示す音は、その音質が劣化されて出力されるが、品質劣化低減データが取得された場合には、その音質の劣化が低減されて出力されるので、ユーザは、音質が劣化された音データが示す音の全てを聞くことができ、その上で当該音データを気に入れば、品質劣化低減データの取得に対して料金を支払う等することにより、より音質の良い音を聞くことができる。また、音質を劣化させたり、その劣化を低減させることが容易になる。
【００１５】
請求項２に記載の発明は、請求項１に記載のコンテンツ配信サーバ装置において、前記コンテンツ記憶手段に記憶された音データの内、他の前記音データと一括して販売される音データは、単独で販売される音データよりも前記音質の劣化の程度が低い音データであり、前記コンテンツ配信手段は、前記一括して販売される音データを複数一括して前記音出力装置に配信することを特徴とする。
【００１６】
この発明によれば、複数の音データに対するユーザの一括購入等の意欲を向上させることが出来る。
【００２１】
請求項３に記載の発明は、請求項１に記載の品質劣化低減データを配信するサーバ装置であって、前記品質劣化低減データを、前記通信手段を介して前記音出力装置に配信する品質劣化低減データ配信手段を備えることを特徴とする。
【００２２】
請求項４に記載の発明は、請求項１に記載の音出力装置であって、前記配信された音データを取得する取得手段と、前記取得された音データを記憶する前記記憶手段と、前記劣化低減データを、前記通信手段を介してサーバ装置から取得する劣化低減データ取得手段と、前記劣化提示手段と、を備えることを特徴とする。
【００２３】
請求項５に記載の発明は、音データが示す音を出力する音出力装置に当該音データを配信するコンテンツ配信方法であって、前記音データには、当該音データの少なくとも一部の音質を劣化させるための品質劣化プログラムと、第１ノイズ音を示す第１ノイズ音データと、前記第１ノイズ音の位相を反転した第２ノイズ音を示す第２ノイズ音データと、が付加されており、前記音データを記憶するコンテンツ記憶工程と、前記記憶された音データを、通信手段を介して前記音出力装置に配信するコンテンツ配信工程と、を含み、前記配信された音データは、前記音出力装置の記憶手段に記憶され、前記記憶手段に記憶された音データに付加された品質劣化プログラムは、前記音出力装置により起動され、当該音データが示す音と、当該音データに付加された第１ノイズ音データが示す第１ノイズ音と、を同時に出力する劣化提示手段として前記音出力装置を機能させるものであり、前記音データの音質の劣化を低減させるための品質劣化低減データが前記音出力装置により取得された場合には、前記品質劣化プログラムは、当該音データが示す音と、当該音データに付加された第１ノイズ音データが示す第１ノイズ音と、当該音データに付加された第２ノイズ音データが示す第２ノイズ音と、を同時に出力する前記劣化提示手段として前記音出力装置を機能させることを特徴とする。
【００２４】
請求項６に記載の発明は、音データが示す音を出力する音出力装置に当該音データを配信するコンテンツ配信サーバ装置であって、前記音データの少なくとも一部の音質を劣化させるための品質劣化プログラムと、第１ノイズ音を示す第１ノイズ音データと、前記第１ノイズ音の位相を反転した第２ノイズ音を示す第２ノイズ音データと、が付加されている音データを配信するコンテンツ配信サーバ装置に含まれるコンピュータを、前記音データを記憶するコンテンツ記憶手段、前記記憶された音データを、通信手段を介して前記音出力装置に配信するコンテンツ配信手段、として機能させ、前記配信された音データは、前記音出力装置の記憶手段に記憶され、前記記憶手段に記憶された音データに付加された品質劣化プログラムは、前記音出力装置により起動され、当該音データが示す音と、当該音データに付加された第１ノイズ音データが示す第１ノイズ音と、を同時に出力する劣化提示手段として前記音出力装置を機能させるものであり、前記音データの音質の劣化を低減させるための品質劣化低減データが前記音出力装置により取得された場合には、前記品質劣化プログラムは、当該音データが示す音と、当該音データに付加された第１ノイズ音データが示す第１ノイズ音と、当該音データに付加された第２ノイズ音データが示す第２ノイズ音と、を同時に出力する前記劣化提示手段として前記音出力装置を機能させることを特徴とする。
【発明の効果】
【００２５】
本発明によれば、配信された音データが示す音は、その音質が劣化されて出力されるが、品質劣化低減データが取得された場合には、その音質の劣化が低減されて出力されるので、ユーザは、音質が劣化された音データが示す音の全てを聞くことができ、その上で当該音データを気に入れば、品質劣化低減データの取得に対して料金を支払う等することにより、より音質の良い音を聞くことができる。これにより、例えば、音質が劣化された音データをお試し版等として配信し、その後正規購入等することで、より音質の良い音データを視聴可能としたり、音質が劣化された音データを中古品と同様の扱いで転売する等、従来では困難であった形態による音データの売買を有効に行うことができる。また、音質を劣化させたり、その劣化を低減させることが容易になる。
【発明を実施するための最良の形態】
【００２６】
以下、図面を参照して本発明の最良の実施形態について詳細に説明する。なお、以下に説明する実施の形態は、楽曲配信システムに対して本発明を適用した場合の実施形態である。
【００２７】
［１．楽曲配信システムの構成及び機能概要］
先ず、本実施形態に係る楽曲配信システムＳの構成及び機能概要について、図１を用いて説明する。
【００２８】
図１は、本実施形態に係る楽曲配信システムＳの概要構成の一例を示す図である。
【００２９】
図１に示すように、楽曲配信システムＳは、コンテンツ提示装置の一例としての複数の携帯電話機Ｐｋ（ｋ＝１，２・・・ｎ）と、楽曲ＤＢ（データベース）１０１を備えるコンテンツサーバＣＳと、アプリケーションＤＢ１１１を備えるノイズサーバＮＳと、中古楽曲ＤＢを備えるサーバ装置及びコンテンツ配信サーバ装置の一例としての中古コンテンツサーバＵＳと、を含んで構成されている。
【００３０】
ここで、例えば、コンテンツサーバＣＳ及びノイズサーバＮＳは、楽曲データ（コンテンツデータの一例）を制作・配信する配信業者により開設された楽曲配信サイトを構成するサーバであり、中古コンテンツサーバＵＳは、楽曲データを転売する転売業者により開設された楽曲転売サイトを構成するサーバである。もっとも、これらのサーバが同一の業者等により設置されたものであっても良い。
【００３１】
携帯電話機Ｐｋと、コンテンツサーバＣＳ、ノイズサーバＮＳ及び中古コンテンツサーバＵＳとは、ネットワークＮＷを介して相互にデータの送受信が可能（例えば、通信プロトコルにＴＣＰ／ＩＰ（Transmission Control Protocol/Internet Protocol）を用いて、相互にデータの送受信が可能）になっている。なお、ネットワークＮＷは、例えば、インターネット、専用通信回線（例えば、ＣＡＴＶ（Community Antenna Television）回線）、移動体通信網（無線基地局等を含む）、及びゲートウェイ等により構築されている。
【００３２】
上述した構成を有する楽曲配信システムＳにおいて、携帯電話機Ｐｋは、楽曲データを再生し、当該楽曲データに対応した楽曲を拡声するようになっている。この楽曲データは、楽曲ＤＢ１０１に記憶されており、コンテンツサーバＣＳから購入を希望するユーザの携帯電話機Ｐｋにダウンロードされる（楽曲データがコンテンツサーバＣＳにより携帯電話機Ｐｋに配信される）ことにより、配信業者からユーザに対して初回販売されるようになっている。また、楽曲データを再生させるために携帯電話機Ｐｋにより実行される再生アプリケーションプログラム（以下、単に再生アプリケーションと称する）が、アプリケーションＤＢ１１１に記憶されており、ノイズサーバＮＳから携帯電話機Ｐｋにダウンロードされるようになっている。
【００３３】
初回販売された楽曲データの内、携帯電話機Ｐｋのユーザにより不要と判断等された楽曲データは、対応する再生アプリケーションとともに中古コンテンツサーバＵＳにアップロード（送信）され、中古楽曲ＤＢ１２１に記憶されることにより、ユーザから転売業者に売却（本実施形態においては、金銭との交換ではなくサービスポイントと交換される）されるようになっている。このとき、売却された楽曲データは、なおも携帯電話機Ｐｋに記憶されるが、当該楽曲データを再生すると、ノイズが重畳された状態、すなわち音質が劣化した状態（少なくとも視聴には耐える程度）で楽曲が拡声されるようになっている。その代替として、携帯電話機Ｐｋのユーザに対しては、楽曲データの購入に利用することが出来るサービスポイントが付与されるようになっている。
【００３４】
そして、中古楽曲ＤＢ１２１に記憶された楽曲データは、中古コンテンツサーバＵＳから、購入を希望するユーザの携帯電話機Ｐｋにダウンロードされることにより、転売業者からユーザに対して転売されるようになっている。この転売された楽曲データを再生すると、売却された楽曲データの場合と同様に、ノイズが重畳された楽曲が拡声されるようになっている。このように、転売される楽曲データの音質は初回販売される楽曲データの音質よりも劣化するため、本実施形態においては、楽曲データの転売時における販売価格を、初回販売時の販売価格よりも低く設定することとした。
【００３５】
更に、転売された楽曲データの内、ノイズが乗らない状態で楽曲を聴きたいと希望するユーザの携帯電話機Ｐｋに、楽曲からノイズを除去するための解除キー（品質劣化停止低減データの一例）が中古コンテンツサーバＵＳからダウンロードされるようになっている。この解除キーは、ノイズサーバＮＳにより生成され、中古コンテンツサーバＵＳに送信されるようになっている。
【００３６】
こうして、携帯電話機Ｐｋにおいて解除キーが取得された楽曲データを再生すると、ノイズが除去された楽曲が拡声されるようになっている。ただし、この場合においては、初回販売されたときよりも若干音質が劣化された状態（音質が劣化していることを判別することが困難な程度）で拡声される。
【００３７】
なお、以下の説明においては、転売業者に売却された楽曲データ及び転売された楽曲データ、すなわち音質が劣化した楽曲データを、初回販売された楽曲データと区別して、中古楽曲データとも称することとする。
【００３８】
［２．楽曲データの構成］
次に、楽曲データの構成について、図２及び図３を用いて説明する。
【００３９】
図２は、本実施形態に係る楽曲データの構成の一例を示す図である。また、図３は、楽曲音声データの構成の一例を示す図であり、（ａ）は正規楽曲データであり、（ｂ）はノイズデータであり、（ｃ）は逆相ノイズデータである。
【００４０】
図２に示すように、楽曲データには、楽曲音声データとプロパティデータとが含まれている。
【００４１】
楽曲音声データは、携帯電話機Ｐｋにおいて楽曲を拡声するためのデータである。図３に示すように、楽曲音声データは、音データの一例としての正規楽曲データと（図３（ａ））、ノイズ成分の一例としてのノイズデータと（図３（ｂ））、位相反転成分の一例としての逆相ノイズデータと（図３（ａ））、を含んでいる。
【００４２】
正規楽曲データは、ノイズを含んでいない楽曲を拡声するための音声データであり、初回販売された楽曲データを再生する場合には、正規楽曲データのみが再生されるようになっている。
【００４３】
ノイズデータは、一定時間長（ｔ１）のピンクノイズを、所定時間間隔（ｔ２）ごとに混入させて作成された音声データであり、転売業者に売却された楽曲データ及び転売された楽曲データを再生する場合には、正規楽曲データとともに再生されるようになっている。なお、ノイズ長（ｔ１）及びノイズ間隔（ｔ２）は、一定の時間ではなくランダムな時間であっても良いし、または、ノイズ間隔を設けなくても良い（楽曲に対して一様にノイズが重畳する状態となる）。
【００４４】
逆相ノイズデータは、上記ノイズデータにおけるノイズの位相を反転させて作成された音声データであり、転売された楽曲データの内、対応する解除キーが取得された楽曲データを再生すると、正規楽曲データ及びノイズデータとともに再生される。これにより、ノイズデータに含まれるノイズ成分と逆相ノイズデータに含まれる逆相成分とが打ち消しあい、ノイズ成分が除去される。ただし、ノイズ成分の除去に伴い正規楽曲データから拡声される楽曲の音質は、本来拡声されるべき楽曲の音質よりも若干の劣化がみられる。
【００４５】
携帯電話機Ｐｋが、例えば、５．１チャンネル等の多チャンネル再生が可能な構成となっている場合であれば、正規楽曲データをチャンネル１及び２割り当て、ノイズデータをチャンネル３及び４に割り当て、逆相ノイズデータをチャンネル５及び６に割り当てるようにしても良い。この場合、携帯電話機Ｐｋにおいて、初回販売された楽曲データに対しては、チャンネル１及び２の正規楽曲データのみを再生し、転売等された楽曲データに対しては、更にチャンネル３及び４のノイズデータも再生し、解除キーが取得された楽曲データに対しては、その上更にチャンネル５及び６の逆相ノイズデータも再生するように構成すれば良い。
【００４６】
一方、携帯電話機Ｐｋにおいて多チャンネル再生ができないような構成となっている場合であれば、例えば、上記各音声データを予めミックスダウン（トラックダウン）しておいても良い。この場合は、正規楽曲データとノイズデータとを合成してノイズ入り楽曲データを作成するとともに、正規楽曲データとノイズデータと逆相ノイズデータとを合成してノイズ除去済み楽曲データを作成する。そして、正規楽曲データ、ノイズ入り楽曲データ及びノイズ除去済み楽曲データを含んだ状態で楽曲音声データを作成する。携帯電話機Ｐｋにおいては、初回販売された楽曲データに対しては、正規楽曲データのみを再生し、転売等された楽曲データに対してはノイズ入り楽曲データのみを再生し、解除キーが取得された楽曲データに対しては、ノイズ除去済み楽曲データのみを再生するように構成すれば良い。
【００４７】
なお、楽曲データを上記いずれの構成とするかは任意であるが、例えば、予め２種類の構成の楽曲データを楽曲ＤＢ１０１に記憶させておき、コンテンツサーバＣＳにより楽曲データを配信する際に、携帯電話機Ｐｋの端末種別等を参照して多チャンネル再生が可能か否かを判定し、当該判定結果に応じて配信し分けるようにしても良い。
【００４８】
また、各音声データのデータ形式は任意であり、例えば、ＭＬＤ（music for imode）、ＭＩＤＩ（Musical Instrument Digital Interface）、ＭＰ３（MPEG Audio Layer-3）等のデータ形式を用いることができる。
【００４９】
図２に戻り、プロパティデータには、楽曲詳細情報と、コピー情報と、ダウンロード情報と、が含まれている。
【００５０】
楽曲詳細情報には、例えば、楽曲ＩＤ（識別情報）、楽曲のタイトル、アーティストの名称、トラック番号、ジャンル、歌詞、当該楽曲データを再生するための再生アプリケーションを示すアプリケーションＩＤ等の楽曲に関する情報が含まれている。
【００５１】
コピー情報は、楽曲データが初回販売された後に当該楽曲データがコピーされたか否かを示す情報であり、コピーされていない場合はコピーなしが設定され、コピーされた場合はコピー済みが設定されるようになっている。楽曲データがコンテンツサーバＣＳから携帯電話機Ｐｋに配信されるとき、このコピー情報はコピーなしに設定されており、携帯電話機Ｐｋにおいて、例えば、楽曲データを中古コンテンツサーバＵＳにアップロードする等の楽曲データに対するコピーを伴う操作が発生する際にコピー済みに設定されるようになっている。
【００５２】
ダウンロード情報は、例えば、楽曲データが他の楽曲データと一括してコンテンツサーバＣＳからダウンロードされた（すなわち、一括して初回販売された）ものであるか否かを示すダウンロードフラグ情報と、当該楽曲データと一緒にダウンロードされた楽曲データを示す対応楽曲情報（例えば、楽曲ＩＤ、楽曲のタイトル、楽曲データのファイル名等）と、が含まれている。コンテンツサーバＣＳから単独で配信される楽曲データのダウンロードフラグ情報には一括ダウンロードなし（単独ダウンロード）が設定される一方、複数一括で配信される楽曲データ全てのダウンロードフラグ情報には一括ダウンロードありが設定されるとともに、各楽曲データの対応楽曲情報には残りの楽曲データを示す情報が設定される。例えば、楽曲データＡ、Ｂ、Ｃが一括で配信される場合、楽曲データＡの対応楽曲情報には楽曲データＢ及びＣのタイトル等が設定され、楽曲データＢの対応楽曲情報には楽曲データＡ及びＣのタイトル等が設定され、楽曲データＣの対応楽曲情報には楽曲データＡ及びＢのタイトル等が設定される。
【００５３】
ダウンロードフラグ情報に一括ダウンロードありが設定されている楽曲データは、対応楽曲情報に示された楽曲データと一括でのみ、ダウンロード及びアップロードが可能となっている。
【００５４】
［３．コンテンツサーバ、ノイズサーバ、中古コンテンツサーバの構成及び機能等］
次に、コンテンツサーバＣＳ、ノイズサーバＮＳ及び中古コンテンツサーバＵＳの構成及び機能について、図４乃至図７を用いて説明する。
【００５５】
図４は、本実施形態に係るコンテンツサーバＣＳ、ノイズサーバＮＳ及び中古コンテンツサーバＵＳに共通する基本的な構成の概要例を示すブロック図である。
【００５６】
図４に示すように、コンテンツサーバＣＳ、ノイズサーバＮＳ及び中古コンテンツサーバＵＳは、ネットワークＮＷに接続して携帯電話機Ｐｋや他のサーバ装置との通信を制御する通信部１１と、各種プログラム及びデータ等を記憶するとともに、各種データベースが構築されている記憶部１２（例えば、ハードディスクドライブ等）と、ＣＰＵ（Central Processing Unit）、ＲＡＭ（Random Access Memory）、ＲＯＭ（Read Only Memory）等を備えるシステム制御部１３と、を備え、システム制御部１３と各部とはシステムバス１４を介して相互に接続されている。
【００５７】
システム制御部１３は、ＣＰＵが、ＲＯＭや記憶部１２に記憶された各種プログラム（例えば、オペレーティングシステム、楽曲配信処理プログラム等）を読み出し実行することにより当該サーバ全体を制御するようになっている。なお、各種プログラム等は、例えば、他のサーバからダウンロードされるようにしても良いし、ＣＤ−ＲＯＭ等の記録媒体に記録されてドライブを介して読み込まれるようにしても良い。
【００５８】
はじめに、コンテンツサーバＣＳは、楽曲配信サイトとして、携帯電話機Ｐｋに対して初回販売される楽曲データを配信するようになっている。このコンテンツサーバＣＳの記憶部１２には、楽曲データが記憶される楽曲ＤＢ１０１が構築されている。
【００５９】
図５は、楽曲ＤＢ１０１に記憶された楽曲データの一例を示す図である。
【００６０】
図５に示すように、楽曲ＤＢ１０１には、複数の楽曲データ（図５の例では楽曲Ａ〜楽曲Ｉの９曲）が、一つのグループ（以下、アルバムと称する）にまとめられてアルバム単位で記憶されるようになっている。そして、一つのアルバムに含まれる各楽曲データは、ダウンロードされる際の一括ダウンロード数に対応して複数種類記憶されるようになっている。例えば、図５（ａ）の例においては、一括ダウンロード数が１曲、すなわち単独でダウンロードされる楽曲データ、一括ダウンロード数が２曲の楽曲データ、一括ダウンロード数が全曲（９曲）、すなわちアルバム全体で一括ダウンロードされる楽曲データが、夫々各楽曲に対応して記憶されている。
【００６１】
ここで、各楽曲データのコピー情報にはコピーなしが設定されている。また、単独でダウンロードされる楽曲データのダウンロードフラグ情報には一括ダウンロードなしが設定され、２曲で一括ダウンロードされる楽曲データ及びアルバム全体で一括ダウンロードされる楽曲データのダウンロードフラグ情報には一括ダウンロードありが設定されている。更に、アルバム全体で一括ダウンロードされる楽曲データの対応楽曲情報には、他の８曲のタイトル等が設定されている。
【００６２】
そして、単独でダウンロードされる楽曲データとしては、前記図３（ｂ）に示したノイズ長（ｔ１）が３秒のノイズデータ等を含む楽曲データが記憶され、２曲で一括ダウンロードの楽曲データとしては、ノイズ長が２秒のノイズデータ等を含む楽曲データが記憶され、アルバム全体で一括ダウンロードされる楽曲データとしては、ノイズ長が１秒のノイズデータ等を含む楽曲データが記憶される。このように、本実施形態においては、一括ダウンロードする楽曲データの数が多いほど、楽曲にノイズを混入させる割合を低下させ、複数の楽曲データをまとめて購入するユーザに対しては、より音質の良い楽曲データを配信することとした。
【００６３】
なお、上記のようにノイズ長を変える以外にも、例えば、図５（ｂ）に示すように、一括ダウンロード数に応じてノイズ間隔（ｔ２）を変えても良いし、ノイズの音量を変えるようにしても良い。
【００６４】
コンテンツサーバＣＳの記憶部１２には、また、ユーザＤＢが構築されている（図示せず）。ユーザＤＢには、楽曲配信サイトに登録されている携帯電話機Ｐｋのユーザに関する情報（例えば、ユーザの氏名、年齢、性別、住所、電話番号、メールアドレス、携帯電話機Ｐｋの種別、クレジットカードの番号、楽曲の購入履歴等）が、例えば、ユーザＩＤに対応付けて記憶されている。
【００６５】
コンテンツサーバＣＳのシステム制御部１３は、携帯電話機Ｐｋからのリクエストに応じて、楽曲の検索ページや楽曲リストのページ等に対応するＷｅｂコンテンツデータ（例えば、ＨＴＭＬ（eXtensible HyperText Markup Language）データ、画像データ、音声データ等により構成されている）を生成し、当該Ｗｅｂコンテンツデータを携帯電話機Ｐｋに配信するようになっている。
【００６６】
また、コンテンツサーバＣＳのシステム制御部１３は、携帯電話機Ｐｋにより送信された楽曲購入リクエストに応じて、楽曲ＤＢ１０１に記憶されている楽曲データを単独で、または複数一括して当該携帯電話機Ｐｋに配信するようになっている。このとき、２曲分の楽曲データを一括して配信する場合には、楽曲ＤＢ１０１から読み出した各楽曲データの対応楽曲情報に他方の楽曲データのタイトル等を設定した上で、当該楽曲データを配信するようになっている。
【００６７】
次に、ノイズサーバＮＳは、携帯電話機Ｐｋに対して再生アプリケーションを配信する一方、中古コンテンツサーバＵＳに対して解除キーを送信するようになっている。このノイズサーバＮＳの記憶部１２には、再生アプリケーションが記憶されるアプリケーションＤＢ１１１が構築されている。
【００６８】
図６は、アプリケーションＤＢ１１１に記憶された再生アプリケーションの一例を示す図である。
【００６９】
図６に示すように、アプリケーションＤＢ１１１には、例えば、各楽曲データに対応した再生アプリケーションが、各再生アプリケーションに固有に付与されたアプリケーションＩＤに対応付けて記憶されている。各再生アプリケーションには、対応する楽曲データの楽曲音声データ等にアクセスして、楽曲データを再生するための再生プログラム部分が含まれている。そして、楽曲データを再生する際、当該楽曲データが初回販売後にコピーされたもの（コピー情報がコピー済み）である場合には、正規楽曲データを、ノイズデータ等とともに再生するための劣化再生プログラム部分（品質劣化プログラムの一例）が含まれている。更に、各再生アプリケーションには、対応する楽曲データを中古コンテンツサーバＵＳにアップロードするための送信プログラム部分も含まれている。各楽曲データは、例えば、対応する再生アプリケーションのみにより再生することが可能となっている。
【００７０】
ノイズサーバＮＳのシステム制御部１３は、携帯電話機Ｐｋにより送信された再生アプリケーションリクエストに応じて、アプリケーションＤＢ１１１に記憶されている再生アプリケーションを当該携帯電話機Ｐｋに配信するようになっている。
【００７１】
また、ノイズサーバＮＳのシステム制御部１３は、中古コンテンツサーバＵＳにより送信された解除キーリクエストに応じて、ノイズを除去する楽曲データに対応した解除キーを生成し、当該解除キーを中古コンテンツサーバＵＳに送信するようになっている。なお、解除キーは、例えば、携帯電話機Ｐｋにおいて再生アプリケーションが実行されたときに参照される情報であっても良いし、当該再生アプリケーションから呼び出されるノイズ除去用の追加プログラム等であっても良い。また、解除キーは、必ずしも解除キーリクエストを受信する都度生成しなければならないというものではなく、例えば、楽曲データに対応した解除キーを、楽曲ＩＤ等に対応付けて予めデータベース等に登録しておき、解除キーリクエストに応じて、データベース等から読み出すようにしても良い。
【００７２】
次に、中古コンテンツサーバＵＳは、楽曲転売サイトとして、携帯電話機Ｐｋから中古楽曲データを、対応する再生アプリケーションとともに受信する一方、当該中古楽曲データ及び再生アプリケーションを、購入を希望するユーザの携帯電話機Ｐｋに配信するようになっている。この中古コンテンツサーバＵＳの記憶部１２には、中古楽曲データ及び再生アプリケーションが記憶される中古楽曲ＤＢ１２１が構築されている。
【００７３】
図７は、中古楽曲ＤＢ１２１に記憶された中古楽曲データ及び再生アプリケーションの一例を示す図である。
【００７４】
図７に示すように、中古楽曲ＤＢ１２１には、例えば、携帯電話機Ｐｋによりアップロードされた中古楽曲データと、当該中古楽曲データに対応する再生アプリケーションと、が、アップロードされた順番等に応じて付与されたＩＤに対応付けて記憶されている。また、携帯電話機Ｐｋから一括でアップロードされた中古楽曲データ（ダウンロードフラグが一括ダウンロードありの中古楽曲データ）及び再生アプリケーションに対しては、まとめて一つのＩＤが付与されるようになっている。
【００７５】
中古コンテンツサーバＵＳの記憶部１２には、また、楽曲転売サイトに登録されている携帯電話機Ｐｋのユーザに関する情報が記憶されるユーザＤＢが構築されている（図示せず）。
【００７６】
中古コンテンツサーバＵＳのシステム制御部１３は、携帯電話機Ｐｋからのリクエストに応じて、中古の楽曲の検索ページや楽曲リストのページ等に対応するＷｅｂコンテンツデータを生成し、当該Ｗｅｂコンテンツデータを携帯電話機Ｐｋに配信するようになっている。
【００７７】
また、中古コンテンツサーバＵＳのシステム制御部１３は、携帯電話機Ｐｋにより送信された中古楽曲データ及び再生アプリケーションを受信し、コンテンツ記憶手段として、当該中古楽曲データ及び再生アプリケーションを中古楽曲ＤＢ１２１に記憶するようになっている。
【００７８】
更に、中古コンテンツサーバＵＳのシステム制御部１３は、コンテンツ配信手段として、携帯電話機Ｐｋにより送信された中古楽曲購入リクエストに応じて、中古楽曲ＤＢ１２１に記憶されている中古楽曲データ及び対応する再生アプリケーションを、付与されたＩＤ単位（単独でアップロードされたものは単独、一括でアップロードされたものは一括）で読み出し、当該読み出した中古楽曲データに再生アプリケーションを付加して帯電話機Ｐｋに配信するようになっている。
【００７９】
また更に、中古コンテンツサーバＵＳのシステム制御部１３は、品質劣化停止低減データ配信手段として、携帯電話機Ｐｋにより送信された解除キー購入リクエストに応じて、ノイズサーバＮＳから解除キーを取得し、当該解除キーを携帯電話機Ｐｋに配信するようになっている。
【００８０】
［４．携帯電話機の構成及び機能等］
次に、携帯電話機Ｐｋの構成及び機能について、図８及び図９を用いて説明する。
【００８１】
図８は、本実施形態に係る携帯電話機Ｐｋの概要構成の一例を示すブロック図である。
【００８２】
図８に示すように、携帯電話機Ｐｋは、無線基地局との電波送受信によりネットワークＮＷに接続して、他の携帯電話機Ｐｋやサーバ等との通信を制御する無線通信部２１と、例えば、マイクロホン、Ａ／Ｄ変換器等を有し、ユーザの発話音声等をマイクロホンから入力すると当該音声に対応した音声データを生成して無線通信部２１に出力する音声入力部２２と、例えば、スピーカ、増幅回路等を有し、無線通信部２１から供給された音声データに対応する音声や、記憶部２６に記憶された楽曲データ等に対応する音声等を生成してスピーカにより拡声する音声出力部２３と、を備え、他の携帯電話機との通話やサーバ等とのデータ通信が可能となっている。かかる通信方式には、例えば、ＰＤＣ（Personal Digital Cellular）方式や、ＩＭＴ（International Mobile Telecommunication）方式、ＰＨＳ（Personal Handyphone System）方式等が採用されている。
【００８３】
また、携帯電話機Ｐｋは、文字や画像等の情報を画面に表示する表示部２４（例えば、液晶ディスプレイ、有機ＥＬディスプレイ等）と、ユーザからの操作指示の入力を受け付け、その指示内容を指示信号としてシステム制御部２７に出力する操作部２５（例えば、テンキー、操作ボタン等）と、を備えている。
【００８４】
更に、携帯電話機Ｐｋは、各種プログラム及びデータ等を記憶する記憶手段の一例としての記憶部２６（例えば、フラッシュメモリ等）を備えている。
【００８５】
図９は、携帯電話機Ｐｋの記憶部２６における記憶領域の割り当て例を示す図である。
【００８６】
記憶部２６には、ダウンロードされた楽曲データ、再生アプリケーション及び解除キーが記憶されるようになっている。図８に示すように、記憶部２６には、再生アプリケーションが格納されるプログラム格納領域１，２・・・ｎと、楽曲データが格納される楽曲格納領域１，２・・・ｎと、解除キーが格納される解除キー格納領域１，２・・・ｎと、が設けられている。ここで、プログラム格納領域１，２・・・ｎには、楽曲格納領域１，２・・・ｎに格納された楽曲データに夫々対応した再生アプリケーションが夫々格納され、解除キー格納領域１，２・・・ｎには、楽曲格納領域１，２・・・ｎに格納された楽曲データに夫々対応した解除キーが夫々格納されるようになっている。
【００８７】
なお、不正コピー等を防止する観点から、各楽曲格納領域は、対応するプログラム格納領域に格納されたプログラムのみからアクセス可能となっていることが望ましい。
【００８８】
携帯電話機Ｐｋは、また更に、ＣＰＵ、ＲＡＭ、ＲＯＭ等を備える取得手段、複製判別手段、品質劣化低減データ取得手段及び劣化提示手段の一例としてのシステム制御部２７を備え、システム制御部２７と各部とはシステムバス２８を介して相互に接続されている。
【００８９】
システム制御部２７は、ＣＰＵが、ＲＯＭや記憶部２６に記憶された各種プログラムを読み出し実行することにより携帯電話機Ｐｋ全体を制御するとともに、取得手段、品質劣化停止低減データ取得手段及び劣化提示手段として機能するようになっている。
【００９０】
具体的に、システム制御部２７は、操作部２５を介してユーザにより選択された楽曲に対応する楽曲データの購入リクエストをコンテンツサーバＣＳに送信するとともに、コンテンツサーバＣＳから配信された楽曲データを受信し、記憶部２６に記憶するようになっている。
【００９１】
また、システム制御部２７は、コンテンツサーバＣＳから楽曲データを受信したときに、当該楽曲データに対応する再生アプリケーションのリクエストをノイズサーバＮＳに送信するとともに、ノイズサーバＮＳから配信された再生プリケーションを受信し、記憶部２６に記憶するようになっている。
【００９２】
更に、システム制御部２７は、記憶部２６に記憶された楽曲データ及び再生アプリケーションの内、操作部２５を介してユーザにより選択された楽曲に対応する楽曲データ及び再生アプリケーションを、当該再生アプリケーションを実行することにより中古コンテンツサーバＵＳにアップロードするようになっている。その際、システム制御部２７は、ダウンロードフラグ情報に一括ダウンロードありが設定されている楽曲データについては、対応楽曲情報に示された楽曲データと一括してアップロードするようになっている。また、システム制御部２７は、更新手段として、楽曲データをアップロードする前に、当該楽曲データのコピー情報をコピー済みに設定するようになっている。
【００９３】
更にまた、システム制御部２７は、取得手段として、操作部２５を介してユーザにより選択された楽曲に対応する中古楽曲データの購入リクエストを中古コンテンツサーバＵＳに送信するとともに、中古コンテンツサーバＵＳから配信された中古楽曲データ及び当該中古楽曲データに付加された再生アプリケーションを受信し、コンテンツ記憶手段として、記憶部２６に記憶するようになっている。
【００９４】
また更に、システム制御部２７は、品質劣化停止低減データ取得手段として、記憶部２６に記憶された中古楽曲データの内、操作部２５を介してユーザにより選択された楽曲に対応する中古楽曲データに対応する解除キーの購入リクエストを中古コンテンツサーバＵＳに送信するとともに、中古コンテンツサーバＵＳから配信された解除キーを受信し、記憶部２６に記憶するようになっている。
【００９５】
また更に、システム制御部２７は、劣化提示手段として、記憶部２６に記憶された再生アプリケーションを実行することにより、当該再生アプリケーションに対応して記憶部２６に記憶されている楽曲データを再生し、音声出力部２３を制御して、当該楽曲データに対応する楽曲を拡声させるようになっている。このとき、システム制御部２７は、楽曲データがコピーされたものでない（コピー情報がコピーなし）場合は、劣化再生プログラム部分を起動させずに、正規の楽曲のみが拡声されるように楽曲データを再生するようになっている。また、楽曲データがコピーされたものであって（コピー情報がコピー済み）、且つ当該楽曲データに対応する解除キーが記憶部２６に記憶されていない場合、システム制御部２７は、劣化再生プログラム部分を起動し、ノイズが重畳された楽曲が拡声されるように楽曲データを再生するようになっている。また、楽曲データがコピーされたものであって、且つ当該楽曲データに対応する解除キーが記憶部２６に記憶されている場合、システム制御部２７は、劣化再生プログラム部分を起動するとともに、逆相ノイズによりノイズが除去された楽曲が拡声されるように楽曲データを再生するようになっている。
【００９６】
［５．楽曲配信システムＳの動作］
次に、楽曲配信システムＳの動作について、図１０乃至図１４を用いて説明する。
【００９７】
はじめに、楽曲データの初回販売時における動作について説明する。
【００９８】
図１０は、本実施形態に係る楽曲配信システムＳの楽曲データ初回販売時における処理の一例を示すシーケンス図である。
【００９９】
先ず、ユーザが携帯電話機Ｐｋの操作部２５を操作することにより、記憶部２６等に記憶されたＷｅｂブラウザプログラムを起動し、楽曲配信サイトのＵＲＬ（Uniform Resource Locator）等を指定する。そうすると、携帯電話機Ｐｋのシステム制御部２７は、図１０に示すように、コンテンツサーバＣＳに検索ページリクエストを送信する（ステップＳ１）。
【０１００】
検索ページリクエストを受信したコンテンツサーバＣＳのシステム制御部１３は、楽曲データを検索するためのページデータ（Ｗｅｂコンテンツデータ）を生成し（ステップＳ２）、当該検索ページデータを携帯電話機Ｐｋに送信する（ステップＳ３）。
【０１０１】
ページデータを受信した携帯電話機Ｐｋのシステム制御部２７は、当該ページデータに基づいて楽曲検索ページを画面に表示し、ユーザによる検索条件（例えば、楽曲のタイトル、アーティストの名称等）の入力の受付を開始する（ステップＳ４）。そしてユーザにより検索条件が入力されると、システム制御部２７は、検索リクエストをコンテンツサーバＣＳに送信する（ステップＳ５）。
【０１０２】
検索リクエストを受信したコンテンツサーバＣＳのシステム制御部１３は、検索条件に合致する楽曲データを楽曲ＤＢ１０１から検索した後（ステップＳ６）、その検索結果を示すページデータ生成し、当該ページデータを携帯電話機Ｐｋに送信する（ステップＳ７）。
【０１０３】
ページデータを受信した携帯電話機Ｐｋのシステム制御部２７は、当該ページデータに基づいて検索結果ページを画面に表示し、ユーザによる楽曲データの選択入力の受付を開始する（ステップＳ８）。そして、検索結果ページに表示された楽曲データのリストの中から、１曲、または複数曲、あるいはアルバム全体等、購入したい楽曲データが選択されると、システム制御部２７は、楽曲購入リクエストをコンテンツサーバＣＳに送信する（ステップＳ９）。
【０１０４】
楽曲購入リクエストを受信したコンテンツサーバＣＳのシステム制御部１３は、携帯電話機Ｐｋのユーザに対して課金処理を実行する（ステップＳ１０）。具体的には、例えば、ユーザＩＤとパスワードを入力するためのページデータを携帯電話機Ｐｋに送信し、携帯電話機Ｐｋにおいて入力されたユーザＩＤ及びパスワードとユーザＤＢに記憶されている情報とに基づいてユーザＩＤを特定して認証処理を実行し、ユーザＩＤに対応してユーザＤＢに記憶されているクレジットカード情報（例えば、カード番号、有効期限等）を用いて課金を行っても良いし、クレジットカード情報を入力するためのページデータを携帯電話機Ｐｋに送信し携帯電話機Ｐｋにおいて入力されたクレジットカード情報に用いて課金を行うようにしても良い。
【０１０５】
次いで、コンテンツサーバＣＳのシステム制御部１３は、選択された楽曲データを楽曲ＤＢ１０１から読み出し、当該楽曲データを携帯電話機Ｐｋに配信する（ステップＳ１１）。ここで、複数の楽曲データが配信される場合には、各楽曲データのダウンロードフラグ情報は一括ダウンロードありに設定されている。
【０１０６】
楽曲データを受信した携帯電話機Ｐｋのシステム制御部２７は、当該楽曲データを記憶部２６に格納し（ステップＳ１２）、当該楽曲データに対応する再生アプリケーションのリクエストをノイズサーバＮＳに送信する（ステップＳ１３）。具体的には、例えば、楽曲データに対応する再生アプリケーションのアプリケーションＩＤを、当該楽曲データの楽曲詳細情報から読み出し、当該アプリケーションＩＤを含んだリクエストをノイズサーバＮＳに送信する。
【０１０７】
再生アプリケーションリクエストを受信したノイズサーバＮＳは、アプリケーションＩＤ等により指定された再生アプリケーションをアプリケーションＤＢ１１１から読み出し、当該再生アプリケーションを携帯電話機Ｐｋに配信する（ステップＳ１４）。
【０１０８】
再生アプリケーションを受信した携帯電話機Ｐｋのシステム制御部２７は、当該再生アプリケーションを記憶部２６に格納し（ステップＳ１５）、処理を終了する。
【０１０９】
なお、上記のように、楽曲データを再生アプリケーションより先に配信する以外にも、例えば、再生アプリケーションを先に配信するようにしても良いし、双方を同時にコンテンツサーバＣＳ等から配信するようにしても良い。
【０１１０】
次に、楽曲データが転売業者に売却される場合の動作について説明する。
【０１１１】
図１１は、本実施形態に係る楽曲配信システムＳの楽曲データの転売業者への売却時における処理の一例を示すシーケンス図である。
【０１１２】
先ず、ユーザが携帯電話機Ｐｋの操作部２５を操作することにより、システム制御部２７は、図１１に示すように、売却可能な楽曲データのリストを画面に表示し、ユーザによる楽曲データの選択入力の受付を開始する（ステップＳ２１）。このとき、コピー情報がコピー済みに設定されている楽曲データは既に売却済みであるため、これらの楽曲データは選択することは出来ないようになっている。また、ダウンロードフラグ情報が一括ダウンロードありに設定されている楽曲データは、対応楽曲情報に示された楽曲データと一括でのみ選択可能なように画面に表示される。そして、ユーザにより売却を希望する楽曲データが選択されると、システム制御部２７は、中古コンテンツサーバＵＳにアップロードリクエストを送信する（ステップＳ２２）。
【０１１３】
アップロードリクエストを受信した中古コンテンツサーバＵＳのシステム制御部１３は、アップロード許可応答を携帯電話機Ｐｋに送信する（ステップＳ２３）。
【０１１４】
アップロード許可応答を受信した携帯電話機Ｐｋのシステム制御部２７は、選択された楽曲データに対応する再生アプリケーションを起動し、コピー情報をコピー済みに設定した後（ステップＳ２４）、当該楽曲データと対応する再生アプリケーションとを記憶部２６から読み出して、中古コンテンツサーバＵＳにアップロードする（ステップＳ２５）。
【０１１５】
楽曲データと再生アプリケーションとを受信した中古コンテンツサーバＵＳのシステム制御部１３は、これらに対して１のＩＤを付与し、中古楽曲ＤＢ１２１に記憶する（ステップＳ２６）。そして、システム制御部１３は、携帯電話機Ｐｋのユーザに対してサービスポイントの加算処理を実行し（ステップＳ２７）、処理を終了する。
【０１１６】
なお、楽曲データ等のアップロード方法としては、上記以外にも、例えば、が曲データを中古コンテンツサーバＵＳ宛ての電子メールに添付して、所定のメールサーバに送信するようにしても良い。この場合においても、再生アプリケーションにより楽曲データのコピー情報がコピー済みに設定される。
【０１１７】
次に、楽曲データの転売時における動作について説明する。
【０１１８】
図１２は、本実施形態に係る楽曲配信システムＳの楽曲データの転売時における処理の一例を示すシーケンス図である。
【０１１９】
先ず、ユーザが携帯電話機Ｐｋの操作部２５を操作することにより、記憶部２６等に記憶されたＷｅｂブラウザプログラムを起動し、楽曲転売サイトのＵＲＬ等を指定する。そうすると、携帯電話機Ｐｋのシステム制御部２７は、図１２に示すように、中古コンテンツサーバＵＳに検索ページリクエストを送信する（ステップＳ４１）。
【０１２０】
検索ページリクエストを受信した中古コンテンツサーバＵＳのシステム制御部１３は、楽曲データを検索するためのページデータを生成し（ステップＳ４２）、当該検索ページデータを携帯電話機Ｐｋに送信する（ステップＳ４３）。
【０１２１】
ページデータを受信した携帯電話機Ｐｋのシステム制御部２７は、当該ページデータに基づいて楽曲検索ページを画面に表示し、ユーザによる検索条件の入力の受付を開始する（ステップＳ４４）。そしてユーザにより検索条件が入力されると、システム制御部２７は、検索リクエストを中古コンテンツサーバＵＳに送信する（ステップＳ４５）。
【０１２２】
検索リクエストを受信した中古コンテンツサーバＵＳのシステム制御部１３は、検索条件に合致する楽曲データを中古楽曲ＤＢ１２１から検索した後（ステップＳ４６）、その検索結果を示すページデータ生成し、当該ページデータを携帯電話機Ｐｋに送信する（ステップＳ４７）。
【０１２３】
ページデータを受信した携帯電話機Ｐｋのシステム制御部２７は、当該ページデータに基づいて検索結果ページを画面に表示し、ユーザによる楽曲データの選択入力の受付を開始する（ステップＳ４８）。そして、検索結果ページに表示された楽曲データのリストの中から、購入したい楽曲データが選択されると、システム制御部２７は、楽曲購入リクエストを中古コンテンツサーバＵＳに送信する（ステップＳ４９）。
【０１２４】
中古楽曲購入リクエストを受信した中古コンテンツサーバＵＳのシステム制御部１３は、携帯電話機Ｐｋのユーザに対して課金処理を実行し（ステップＳ５０）、選択された楽曲データと対応する再生アプリケーションとを中古楽曲ＤＢ１２１から読み出し、これらを携帯電話機Ｐｋに配信する（ステップＳ５１）。
【０１２５】
楽曲データと再生アプリとを受信した携帯電話機Ｐｋのシステム制御部２７は、これらを記憶部２６に格納し（ステップＳ５２）、処理を終了する。
【０１２６】
次に、解除キー販売時における動作について説明する。
【０１２７】
図１３は、本実施形態に係る楽曲配信システムＳの解除キー販売時における処理の一例を示すシーケンス図である。
【０１２８】
先ず、ユーザが携帯電話機Ｐｋの操作部２５を操作することにより、システム制御部２７は、図１３に示すように、記憶部２６に記憶されている楽曲データのリストを画面に表示し、ユーザによる楽曲データの選択入力の受付を開始する（ステップＳ６１）。このとき、コピー情報がコピー済みに設定され、且つ対応する解除キーが記憶部２６に記憶されていない楽曲データのみがリスト表示される。また、ダウンロードフラグ情報が一括ダウンロードありに設定されている楽曲データは、対応楽曲情報に示された楽曲データと一括でのみ選択可能なように画面に表示される。
【０１２９】
そして、ユーザにより解除キーの購入を希望する楽曲データが選択されると、システム制御部２７は、中古コンテンツサーバＵＳに解除キー購入リクエストを送信する（ステップＳ６２）。
【０１３０】
解除キー購入リクエストを受信した中古コンテンツサーバＵＳのシステム制御部１３は、ノイズサーバＮＳに解除キーリクエストを送信する（ステップＳ６３）。
【０１３１】
一方、解除キーリクエストを受信したノイズサーバＮＳは、対応する解除キーを生成し（ステップＳ６４）、当該解除キーを中古コンテンツサーバＵＳに送信する（ステップＳ６５）。
【０１３２】
そして、解除キーを受信した中古コンテンツサーバＵＳは、当該携帯電話機Ｐｋのユーザに対して課金処理を実行し（ステップＳ６６）、受信した解除キーを携帯電話機Ｐｋに送信する（ステップＳ６７）。
【０１３３】
解除キーを受信した携帯電話機Ｐｋのシステム制御部２７は、当解除キーを記憶部２６に格納し（ステップＳ６８）、処理を終了する。
【０１３４】
なお、解除キーは、ノイズサーバＮＳから直接携帯電話機Ｐｋに配信されるようにしても良い。
【０１３５】
次に、携帯電話機Ｐｋの楽曲データ再生時における動作について説明する。
【０１３６】
図１４は、本実施形態に係る携帯電話機Ｐｋのシステム制御部２７の楽曲データ再生処理の一例を示すシーケンス図である。
【０１３７】
先ず、ユーザが携帯電話機Ｐｋの操作部２５を操作することにより、再生したい楽曲データを選択すると、システム制御部２７は、選択された楽曲データに対応する再生アプリケーションを起動する。
【０１３８】
そして、システム制御部２７は、図１４に示すように、選択された楽曲データのコピー情報がコピー済みであるか否かを判定し（ステップＳ１０１）、コピーなしである場合、すなわち、選択された楽曲データが、コンテンツサーバＣＳからダウンロードされた後に中古コンテンツサーバＵＳにアップロードされていない場合は（ステップＳ１０１：ＮＯ）、音声出力部２３を制御して、選択された楽曲データの正規楽曲データのみを再生し、ノイズのない楽曲をスピーカから拡声させる（ステップＳ１０２）。
【０１３９】
一方、コピー情報がコピー済みである場合（ステップＳ１０１：ＹＥＳ）、システム制御部２７は、劣化再生プログラムを起動し、選択された楽曲データに対応する解除キーが記憶部２６に記憶されているか否かを判定する（ステップＳ１０３）。
【０１４０】
そして、対応する解除キーが記憶されていない場合、すなわち、選択された楽曲データが、中古コンテンツサーバＵＳにアップロードされたものであるか、中古コンテンツサーバＵＳからダウンロードされたものであり、対応する解除キーを購入していない場合（ステップＳ１０３：ＮＯ）、システム制御部２７は、音声出力部２３を制御して、選択された楽曲データの正規楽曲データとノイズデータとを再生し（または、ノイズ入り楽曲データを再生し）、ノイズが混入した楽曲をスピーカから拡声させる（ステップＳ１０４）。
【０１４１】
一方、対応する解除キーが記憶されている場合（ステップＳ１０３：ＹＥＳ）、システム制御部２７は、音声出力部２３を制御して、選択された楽曲データの正規楽曲データとノイズデータと逆相ノイズデータを再生し（または、ノイズ除去済み楽曲データを再生し）、ノイズが除去された楽曲をスピーカから拡声させる（ステップＳ１０５）。
【０１４２】
以上説明したように、本実施形態によれば、中古コンテンツサーバＵＳの中古コンテンツＤＢ１２１において記憶される楽曲データには、当該楽曲データを再生させるための再生アプリケーションが付加されている。そして、中古コンテンツサーバＵＳのシステム制御部１３は、中古コンテンツＤＢ１２１に記憶された楽曲データを携帯電話機Ｐｋに配信し、当該楽曲データは携帯電話機Ｐｋの記憶部２６に記憶されるようになっている。次いで、携帯電話機Ｐｋのシステム制御部２７が、記憶部２６に記憶された楽曲データに付加された再生アプリケーションの劣化再生プログラム部分を起動することにより、当該楽曲データの少なくとも一部の音質を劣化させて再生するようになっている。また、システム制御部２７は、楽曲データの音質の劣化を低減するための解除キーが携帯電話機Ｐｋを取得した場合には、劣化再生プログラム部分を起動するとともに、取得された解除キーに基づいて、楽曲データの音質の劣化を低減させて再生するようになっている。
【０１４３】
従って、音質が劣化した楽曲データを中古品と同様の扱いで売買することができ、楽曲データに対して中古という概念を導入することにより、楽曲データの転売を有効に行うことが可能となる。また、転売された楽曲データを気に入り、当該楽曲データのより音質の良いものを希望するユーザに対して、転売業者（あるいは、配信業者）は、解除キーを販売することが出来る。
【０１４４】
また、解除キーが取得された後の楽曲データは、転売時よりも音質の劣化が低減されているが、初回販売時よりも若干音質は劣化しているので、初回販売された楽曲データと、転売後に対応する解除キーが購入された楽曲データとの間で、音質を差別化することが出来る。
【０１４５】
しかも、楽曲データは、正規楽曲データと、ノイズデータと、逆相ノイズデータとが含まれ（または、正規楽曲データと、ノイズ入り楽曲データと、ノイズ除去済み楽曲データとが含まれ）、楽曲データが初回販売後にコピーされたものではない場合には、正規楽曲データのみを再生し、初回販売後にコピーされたものである場合には、正規楽曲データ及びイズデータ（または、ノイズ入り楽曲データのみ）を再生し、対応する解除キーが存在する場合には、正規楽曲データ、ノイズデータ及び逆相ノイズデータ（または、ノイズ除去済み楽曲データのみ）を再生するので、例え携帯電話機Ｐｋの各部の処理能力等が低い場合であっても、楽曲データの音質を劣化させたり、その劣化を低減させることが容易に可能となり、また、各楽曲データに適したノイズを重畳させることが出来る。
【０１４６】
また、楽曲データには、当該楽曲データが初回販売後にコピーされたものであるかを示すコピー情報が付加されており、携帯電話機Ｐｋのシステム制御部２７は、記憶部２６に記憶された楽曲データが初回販売後にコピーされたものではない場合には、劣化再生プログラム部分を起動せずに、楽曲データを再生することにより、初回販売後にコピーされていない楽曲データを、音質が劣化しない状態で再生するので、転売時における販売価格を初回販売時における価格よりも低くするというインセンティブが働きやすくなり、コンテンツデータの転売をより有効に行うことが可能となる。
【０１４７】
また更に、携帯電話機Ｐｋのシステム制御部２７は、購入された楽曲データを中古業者に売却する際、記憶部２６に記憶された楽曲データを中古コンテンツサーバＵＳにアップロードする前に、当該楽曲データのコピー情報をコピー済みに設定し、転売された楽曲データだけではなく、売却の対象となった楽曲データの音質も劣化させるので、初回販売された楽曲データと、売却対象となった楽曲データと、の間で、音質を差別化することが出来る。
【０１４８】
更にまた、同一内容の楽曲に対して、単独でダウンロードされる楽曲データと、他の楽曲データと一括してダウンロードされる楽曲データとがコンテンツサーバＣＳの楽曲ＤＢ１０１に記憶されており、各楽曲データは、一括してダウンロードされる曲数が多いほど、音質の劣化する程度が低くなっている。そして、コンテンツサーバＣＳのシステム制御部１３は、単独でダウンロードされる楽曲データを単独で携帯電話機Ｐｋに配信する一方、一括でダウンロードされる楽曲データを複数一括して携帯電話機Ｐｋに配信するので、例えば、アルバム等、複数の楽曲データに対するユーザの一括購入の意欲を向上させることが出来る。
【０１４９】
また更に、楽曲データには、当該楽曲データが一括でダウンロードされたものであるかを示すダウンロード情報が付加されており、携帯電話機Ｐｋのシステム制御部２７は、楽曲データが一括してダウンロードされたものであるか否かをダウンロード情報に基づいて判別し、一括してダウンロードされたものである場合には、ダウンロード情報に示される楽曲データと一括で中古コンテンツサーバＵＳにアップロードするので、一括で初回販売された複数の楽曲データを、その一括販売された単位で、その後流通させることが出来る。
【０１５０】
なお、上記説明した実施形態においては、解除キーを取得したとしても、一度コピーした楽曲データを再生した場合には、その音質はコピーする前の楽曲データよりも劣化するようにしていたが、解除キーを取得した場合には、劣化再生プログラム部分を起動せずに、コピーする前の楽曲データと同一の音質で再生するようにしても良い。
【０１５１】
また、上記実施形態においては、正規楽曲データ以外にもノイズを重畳するためのデータ（例えば、ノイズデータ、ノイズ入り楽曲データ等）やノイズを除去するデータ（例えば、逆相ノイズデータ、ノイズ除去済み楽曲データ等）を含めて楽曲データを構成していたが、必ずしもこれらのデータを楽曲データに含ませる必要はなく、再生アプリケーションによる制御のみでノイズを重畳させたり、ノイズを除去するようにしても良い。また、例えば、逆相ノイズデータ等を含めずに楽曲データを構成する一方、逆相ノイズデータ等を、解除データとしてノイズサーバＮＳの記憶部１２に構築されたデータベース等に記憶しておき、解除データとしての逆相ノイズデータ等を、ノイズサーバＮＳ等から携帯電話機Ｐｋにダウンロードされるようにしても良い。
【０１５２】
また、再生アプリケーションは、必ずしも楽曲データと一対一に対応したものを用意する必要はなく、例えば、一つの再生アプリケーションで複数の楽曲データが再生可能なように楽曲データを作成等し、一つのアルバムに含まれる複数の楽曲データに対応したものを用意しても良いし、または、全楽曲データに対応した一つのアプリケーションを用意しても良い。また、再生アプリケーションから劣化再生プログラムを分離し、一つの再生アプリケーションで複数の楽曲データが再生可能にし、劣化再生プログラムは楽曲データと一対一または一つのアルバム等に対応したものを用意してもよい。この場合は、例えば、アプリケーションＤＢ１１１に劣化制御プログラムを記憶させ、携帯電話機Ｐｋにおいて楽曲データのダウンロードとは無関係にノイズサーバＮＳ等から再生プログラムをダウンロードしておき、または、予めして携帯電話機Ｐｋにて記憶させておき、楽曲データのダウンロード時に、対応する劣化制御プログラムをノイズサーバＮＳからダウンロードするようにしても良い。また、この場合の再生アプリケーションは、劣化制御プログラムをダウンロードしなければ、対応する楽曲データを再生できないようにしておくことが望ましい。
【０１５３】
また、楽曲データを再生する際のノイズの低減方法としては、逆相ノイズを重畳するような、ほぼ完全なノイズ除去を目的とする方法でなくても良く、例えば、ある程度ノイズを低減させるような方法を用いても良い。
【０１５４】
また、楽曲データの音質を劣化させる方法としては、ノイズを重畳する方法以外にも、あらゆる方法を用いることが出来るが、例えば、所定時間間隔に無音となるような方法を用いても良い。この場合の解除キーを、例えば、当該無音部分に対応する正規の楽曲のデータとし、再生アプリケーションにより解除キーと正規楽曲データとを再生し、音質劣化のない楽曲が拡声されるようにしても良い。
【０１５５】
また、上記実施形態においては、携帯電話機Ｐｋから楽曲データを中古コンテンツサーバＵＳにアップロードした後も、当該楽曲データは携帯電話機Ｐｋの記憶部２６に記憶されるようにしていたが、例えば、アップロードする際に、この楽曲データを削除するようにしても良い。
【０１５６】
また、上記実施形態においては、本発明のコンテンツデータに楽曲データを適用した場合について説明したが、例えば、その他の音声データ、映画等の動画データ、電子コミック等の画像データ、電子ブック等のテキストデータ等、あらゆるコンテンツデータに適用することが出来る。これらのコンテンツデータに対してその品質を劣化させる方法は任意に選択することが出来る。例えば、動画データの場合であれば、上記実施形態のように音質を劣化させるようにしても良いし、動画にノイズを重畳させたり、所定時間間隔で空白が表示されるようにしても良い。また、電子コミックの場合であれば、例えば、画質を劣化させるようにしても良いし、特定のマスが空白で表示されるようにしても良い。また、電子ブックの場合であれば、例えば、特定の文字や文章等の部分を空白で表示しても良い。これらの場合の解除キーは、例えば、空白部分に対応する動画、マス、文字等のデータとし、解除キー取得後は、当該解除キーと正規のコンテンツデータとを合成して表示等し、品質劣化のないコンテンツデータを提示するようにしても良い。
【０１５７】
また、上記実施形態においては、本発明のコンテンツ提示装置に携帯電話機を適用した場合について説明したが、例えば、パーソナルコンピュータ、ＰＤＡ（Personal Digital Assistant）、ＳＴＢ（Set Top Box）、テレビゲーム機等に適用することが出来る。
【０１５８】
また、コンテンツ提示装置によるコンテンツデータや再生アプリケーション、解除キーの取得方法は、サーバ装置からのダウンロードする方法にのみ限定されるのではなく、例えば、ＣＤやメモリカード等の記録媒体からドライブ装置等を介して読み込まれるようにしても良いし、通信ケーブルやネットワーク等の通信手段を介して他のコンテンツ提示装置から直接取得するようにしても良い。この場合、中古コンテンツサーバＵＳ等を介した転売ルートがなくなることもあるが、再生アプリケーション以外のプログラムからコンテンツデータをアクセスできないようにコンテンツ提示装置を構成しておけば、再生アプリケーションによりコンテンツデータのコピー（送信を含む）を制御することが出来るので、初回販売後にコピーされたコンテンツデータは必ず品質が劣化したものとなる。従って、コンテンツの配信業者等は解除キーを販売することにより利益を上げることが出来る。また、解除キーについては、例えば、再生アプリケーションのみからアクセス可能なようにコンテンツ提示装置を構成したり、当該解除キーを購入したユーザのコンテンツ提示装置のみでしか有効とはならないように再生アプリケーションをプログラムすること等により、解除キーの悪用を防止することができる。
【０１５９】
また、コンテンツサーバＣＳ、ノイズサーバＮＳ、中古コンテンツサーバＵＳを別個に構成するのではなく、例えば、その一部または全部を一体のサーバ装置として構成しても良い。
【０１６０】
また、上記実施形態においては、本発明をコンテンツデータ（楽曲データ）の転売に適用していたが、これに限られるものではなく、例えば、コンテンツデータの初回販売等に適用しても良い。この場合は、例えば、お試し版として無料でまたは低価格でコンテンツデータを配信し、コンテンツ提示装置において、対応する解除キーが購入されない限りその品質を劣化させてユーザに提示する一方、コンテンツデータが正規購入等された場合には、解除キーを配信し、コンテンツ提示装置において、その品質劣化を停止させてユーザに提示するようにしても良い。この場合であれば、ユーザは、コンテンツデータを正規購入等する前に、品質が劣化されたコンテンツデータの全てを試聴したり、試しに見たりすること等ができるので、コンテンツデータの内容を十分確認した上で、正規購入等をするか否かを判断することができる。また、試聴等することができるコンテンツデータはその品質が劣化されているので、ユーザが、その全てを視聴等した場合であっても、コンテンツデータの正規購入（コンテンツデータ本来の品質での視聴等が可能となる）等に対する意欲を高めることができる。なお、この場合は、コンテンツ提示装置において、コンテンツデータのコピーができないようにしても良い。
【図面の簡単な説明】
【０１６１】
【図１】本実施形態に係る楽曲配信システムＳの概要構成の一例を示す図である。
【図２】本実施形態に係る楽曲データの構成の一例を示す図である。
【図３】楽曲音声データの構成の一例を示す図であり、（ａ）は正規楽曲データであり、（ｂ）はノイズデータであり、（ｃ）は逆相ノイズデータである。
【図４】本実施形態に係るコンテンツサーバＣＳ、ノイズサーバＮＳ及び中古コンテンツサーバＵＳに共通する基本的な構成の概要例を示すブロック図である。
【図５】楽曲ＤＢ１０１に記憶された楽曲データの一例を示す図である。
【図６】アプリケーションＤＢ１１１に記憶された再生アプリケーションの一例を示す図である。
【図７】中古楽曲ＤＢ１２１に記憶された中古楽曲データ及び再生アプリケーションの一例を示す図である。
【図８】本実施形態に係る携帯電話機Ｐｋの概要構成の一例を示すブロック図である。
【図９】携帯電話機Ｐｋの記憶部２６における記憶領域の割り当て例を示す図である。
【図１０】本実施形態に係る楽曲配信システムＳの楽曲データ初回販売時における処理の一例を示すシーケンス図である。
【図１１】本実施形態に係る楽曲配信システムＳの楽曲データの転売業者への売却時における処理の一例を示すシーケンス図である。
【図１２】本実施形態に係る楽曲配信システムＳの楽曲データの転売時における処理の一例を示すシーケンス図である。
【図１３】本実施形態に係る楽曲配信システムＳの解除キー販売時における処理の一例を示すシーケンス図である。
【図１４】本実施形態に係る携帯電話機Ｐｋのシステム制御部２７の楽曲データ再生処理の一例を示すシーケンス図である。
【符号の説明】
【０１６２】
１１  通信部
１２  記憶部
１３  システム制御部
１４  システムバス
２１  無線通信部
２２  音声入力部
２３  音声出力部
２４  表示部
２５  操作部
２６  記憶部
２７  システム制御部
２８  システムバス
１０１  楽曲ＤＢ
１１１  アプリケーションＤＢ
１２１  中古楽曲ＤＢ
Ｐｋ  携帯電話機
ＣＳ  コンテンツサーバ
ＮＳ  ノイズサーバ
ＵＳ  中古コンテンツサーバ
ＮＷ  ネットワーク
Ｓ  楽曲配信システム
【図１】
0004653694.tif 000002
【図２】
0004653694.tif 000003
【図３】
0004653694.tif 000004
【図４】
0004653694.tif 000005
【図５】
0004653694.tif 000006
【図６】
0004653694.tif 000007
【図７】
0004653694.tif 000008
【図８】
0004653694.tif 000009
【図９】
0004653694.tif 000010
【図１０】
0004653694.tif 000011
【図１１】
0004653694.tif 000012
【図１２】
0004653694.tif 000013
【図１３】
0004653694.tif 000014
【図１４】
0004653694.tif 000015